(57)【要約】【課題】金属部材の非切削成形のためのイオン液体の使用を提供する。【解決手段】本発明は、金属部材の非切削成形工程用の少なくとも１つのイオン液体またはイオン液体の混合物の使用に関する。【選択図】なし【特許請求の範囲】
【請求項１】
金属部材の非切削成形工程用の少なくとも１つのイオン液体またはイオン液体の混合物の使用。
【請求項２】
前記非切削成形工程が内部高圧成形であることを特徴とする、請求項１に記載の使用。
【請求項３】
前記イオン液体または前記イオン液体の混合物が、外部潤滑剤として、および／または圧力媒体として、および／または熱媒油として使用されることを特徴とする、請求項１または２に記載の使用。
【請求項４】
前記イオン液体または前記イオン液体の混合物が、１００℃以下、好ましくは５０℃以下の融点を有することを特徴とする、請求項１〜３のいずれか一項に記載の使用。
【請求項５】
外部潤滑剤として非切削成形工程において使用される前記イオン液体または前記イオン液体の混合物が室温以上の融点を有することを特徴とする、請求項１〜４のいずれか一項に記載の使用。
【請求項６】
前記イオン液体または前記イオン液体の混合物が、−５０℃〜４００℃、好ましくは、−４０℃〜３８０℃、特に好ましくは、−３０℃〜３５０℃の液体範囲を有することを特徴とする、請求項１〜４のいずれか一項に記載の使用。
【請求項７】
前記イオン液体または前記イオン液体の混合物が、３００℃よりも高い分解温度を有することを特徴とする、請求項１〜６のいずれか一項に記載の使用。
【発明の詳細な説明】
【技術分野】
【０００１】
本発明は、請求項１の前文に記載の金属部材の非切削成形用、特に内部高圧成形用のイオン液体の使用に関する。
【背景技術】
【０００２】
従来技術
金属製の部材の非切削成形に際して、部材には流動工程によって金属の成形をもたらす力が加えられる。その例は、プレス、冷間押出し、絞り、深絞りによる成形、およびしばしば英語の専門用語「ハイドロフォーミング（hydroforming）」でも呼ばれる内部高圧成形である。これらの成形過程に際しては、部材の表面と、例えば雌型、雄型、絞り型、絞り環、または中空型からなりうる使用される治具との間の摩擦が生じる。この摩擦は適切な潤滑剤の使用によって削減されなければならず、さもなければ、例えば冷間溶接に基づき、治具および／または部材の損傷が生じうる。さらに、潤滑剤は、成形のためにかけられる力およびそれと結合されるエネルギー消費の低下に寄与しうる。
【０００３】
内部高圧成形は、金属中空部品または金属ベルトが成形治具における液状媒体（「圧力媒体」）によって所望の形にもたらされる特殊な成形方法である(F. Klocke, W. Koenig, "Fertigungsverfahren 4. Umformtechnik: Umformen", Springer Verlag Berlin, 5, August 2006）。この場合、部材は内部圧力によって膨張され、かつ同時に軸方向に圧縮される。部材は膨張前に閉鎖治具へ移され、かつ内部圧力によって治具空洞の形を増大させる。この方法に際しては、つねに材料は管端部を介してフォローアップされ、所望の材料厚さを達成する。２００バール〜３０００バールの内部圧力は、例えば、水−油エマルジョンによって、通常、室温で伝達される。管端部における２つのピストンを介して軸方向の力は成形製品の材料強度の調節のために導入されうる。成形媒体の油成分は、この方法において、特に弁の潤滑に使用され、かつ殺菌特性を付与されうる。
【０００４】
内部高圧成形の工程は、現在、好ましいことに、特に空洞部において高い成形度を必要とする領域で使用されている。その例が、自動車工業におけるＡピラー、後車軸、触媒、および排ガス管、または衛生領域における付属器具や水栓である。
【０００５】
内部高圧成形の別の変形が、低めの圧力範囲において、およそ約３００℃までの高温で行われる焼き戻し方法である。それにより、例えば、アルミニウム合金またはマグネシウム合金など高品質の材料が加工されうる。焼き戻しには熱媒油が使用される。
【０００６】
各々の成形の間に治具と部材との間の相対運動とともに表面間に摩擦が生じる。したがって、部材と治具との間に潤滑剤を塗布することが必要である。これは、内部高圧成形の場合に外部潤滑剤とも呼ばれるが、圧力媒体による潤滑は内部潤滑剤とも呼ばれうる。外部潤滑剤としては、延伸油および延伸グリースに加えてリン酸化皮膜または陽極酸化皮膜など化成皮膜上のせっけん、グラファイト、モリブデン硫化物またはテフロン（登録商標）を含む潤滑塗料、ワックスおよび絞りホイルも周知である。さらに、独国特許出願公開第１０１１５６９６Ａ１号明細書には外部潤滑剤として潤滑添加剤の添加による油とワックスの特殊な水分の少ない混合物が記載されている。
【０００７】
圧力媒体として、もしくは内部潤滑剤としては、圧力がおよそ１５００バールまでのその圧縮可能性に基づく油圧オイル、または水混合可能な鉱油含有または合成潤滑剤に基づく水性媒体が使用される。水性圧力媒体中の潤滑剤添加物は冷却潤滑剤としても周知である。一般に水−油エマルジョンが使用される。
【０００８】
特に、外部潤滑剤のためのこれら周知の潤滑剤には、それぞれさまざまな欠点がある。潤滑塗料などの延伸グリースおよび延伸ホイルも手作業でのみ塗布できるが、連続使用には不適切である。せっけんでコーティングした化成皮膜は製造に手間がかかり、かつ特に圧力媒体へのせっけんの導入に際して望ましくない起泡が生じうる。潤滑塗料は、一般に研摩工程でしか完成部材からきわめて除去されにくく、治具または部材のいずれかに少量残留する。ワックスは圧力媒体に達し、かつ粒子として増圧器のマイクロフィルタをブロックしうる。
【０００９】
一般に外部潤滑および内部潤滑の選択に際しては、一方では外部潤滑剤は完成部材から容易に除去可能でなければならない。他方では実際の使用に際しては、つねに外部潤滑剤の圧力媒体への損害が生じうる。したがって、潤滑作用の被害を回避し、かつ個々の媒体の再利用を可能にするために、両方の媒体の優れた分離可能性が望ましい。あるいは、優れた両立性が保証され、唯一の均一の潤滑剤系のみが使用されなければならないように、両方の媒体を順次調節することが望ましいであろう。
【発明の開示】
【発明が解決しようとする課題】
【００１０】
したがって、本発明の課題は、簡単な操作および改善された特性プロフィールを可能にするが、理想的には同じ潤滑剤が外部潤滑剤として、圧力媒体として、および熱媒油として使用可能である非切削成形工程用の潤滑剤を提供することである。
【課題を解決するための手段】
【００１１】
本発明によれば、請求項１に対応する少なくとも１つのイオン液体またはイオン液体の混合物の使用によって達成される。
【００１２】
少なくとも１つのイオン液体の本発明による使用により、外部潤滑剤として、圧力媒体として、および／または熱媒油として使用可能である非切削成形工程のための新種の潤滑剤が提供される。
【００１３】
それによって、初めて、完成部材から容易に除去可能であり、かつ粘度、密度、熱安定性、および耐腐食特性に関して広い範囲で適合可能な特性プロフィールを示す潤滑剤が使用されうる。これに基づき、前述の特性に関して要件を完全に満たす各々の成形工程に応じた潤滑剤が提供されうる。
【００１４】
さらに、非切削成形工程における潤滑剤としてのイオン液体またはイオン液体の混合物により、例えば、噴霧によって液状の形で、または浸漬によって固体の形で潤滑剤を加熱で液状化した潤滑剤浴へ配置し、かつその後の冷却が行われることによって簡単な操作が達成されうる。
【００１５】
特に、圧力媒体として水−油エマルジョンの使用下に内部高圧成形に際して外部潤滑剤としてのイオン液体またはイオン液体の混合物の本発明による使用に際して、好ましくは、水−油エマルジョンとの混合可能性を示さず、したがって、圧力媒体から容易に分離可能であるようなイオン液体が選択されうる。このようにして、圧力媒体の再利用が保証されうる。
【００１６】
イオン液体（「ｉｏｎｉｃ  ｌｉｑｕｉｄｓ」）としては一般に低温（１００℃未満）で融解する塩を示すが、これらはもっぱらイオンからなる新種のクラスの液体を示す。高融解性、高粘性、およびきわめて腐食性の媒体を示す一般的な塩融解物とは異なり、イオン液体はすでに低温で液状であり、かつ粘性が比較的低い（K. R. Seddon J. Chem. Technol. Biotechnol. 1997, 68, 351-356）。
【００１７】
本発明のイオン液体は、好ましくは、次に記載された一般式Ｉ、ＩＩ、またはＩＩＩの塩である。すなわち、
［Ａ］ｎ＋［Ｙ］ｎ−    （Ｉ）
［式中、ｎは、１、２、３、または４であり、［Ａ］＋は、第四級アンモニウム陽イオン、オキソニウム陽イオン、スルホニウム陽イオン、またはホスホニウム陽イオンであり、［Ｙ］ｎ−は、一、二、三、または四価陰イオンであり、または
一般式（ＩＩ）
［Ａ１］＋［Ａ２］＋［Ｙ］２−                      （ＩＩａ）、
［Ａ１］＋［Ａ２］＋［Ａ３］＋［Ｙ］３−              （ＩＩｂ）、または
［Ａ１］＋［Ａ２］＋［Ａ３］＋［Ａ４］＋［Ｙ］４−      （ＩＩｃ）、
［式中、［Ａ１］＋、［Ａ２］＋［Ａ３］＋および［Ａ４］＋は、互いに独立して、［Ａ］＋について挙げられた群から選択され、かつ［Ｙ］ｎ−は、一般式Ｉについて挙げられた意味を有する］の混合塩であり、または
一般式（ＩＩＩ）
［Ａ１］＋［Ａ２］＋［Ａ３］＋［Ｍ１］＋［Ｙ］４−    （ＩＩＩａ）、
［Ａ１］＋［Ａ２］＋［Ｍ１］＋［Ｍ２］＋［Ｙ］４−    （ＩＩＩｂ）、
［Ａ１］＋［Ｍ１］＋［Ｍ２］＋［Ｍ３］＋［Ｙ］４−    （ＩＩＩｃ）、
［Ａ１］＋［Ａ２］＋［Ｍ１］＋［Ｙ］３−              （ＩＩＩｄ）、
［Ａ１］＋［Ｍ１］＋［Ｍ２］＋［Ｙ］３−              （ＩＩＩｅ）、
［Ａ１］＋［Ｍ１］＋［Ｙ］２−                      （ＩＩＩｆ）、
［Ａ１］＋［Ａ２］＋［Ｍ４］２＋［Ｙ］４−            （ＩＩＩｇ）、
［Ａ１］＋［Ｍ１］＋［Ｍ４］２＋［Ｙ］４−            （ＩＩＩｈ）、
［Ａ１］＋［Ｍ５］３＋［Ｙ］４−                      （ＩＩＩｉ）、または
［Ａ１］＋［Ｍ４］２＋［Ｙ］３−                      （ＩＩＩｊ）
［式中、［Ａ１］＋、［Ａ２］＋、および［Ａ３］＋は、互いに独立して［Ａ］＋について挙げられた群から選択され、［Ｙ］ｎ−は、式（Ｉ）について挙げられた意味を有し、かつ［Ｍ１］＋、［Ｍ２］＋、［Ｍ３］＋は一価金属陽イオン、［Ｍ４］２＋は二価金属陽イオン、かつ［Ｍ５］３＋は三価金属陽イオンを意味する］の混合塩であり、
またはすべての式（Ｉ）−（ＩＩＩ）の混合物である。
【００１８】
イオン液体は、好ましくは、陰イオン、例えば、ハロゲン化物、カルボン酸塩、リン酸塩、チオシアン酸塩、イソチオシアン酸塩、ジシアンアミド、硫酸塩、アルキル硫酸塩、スルホン酸塩、アルキルスルホン酸塩、テトラフルオロホウ酸塩、ヘキサフルオロリン酸塩、または、例えば置換アンモニウム、ホスホニウム、ピリジニウム、またはイミダゾリウム陽イオンと組合せたビス（トリフルオロメチルスルホニル）イミドからなるが、ここで前述の陰イオンおよび陽イオンは、多数の可能な陰イオンおよび陽イオンからの小さな選択を示すと同時に、完全性が要求されることはなく、または予め制限が与えられることになる。
【００１９】
本発明により使用されるイオン液体は、好ましくは、少なくとも１つの第四級窒素および／またはリン化合物および／またはイオウ化合物、および少なくとも１つの陰イオンから構成され、かつその融点は約＋２５０℃以下、好ましくは、約＋１５０℃以下、特に約＋１００℃以下である。特に好ましくは、本発明により使用されるイオン液体またはその混合物は室温では液状である。
【００２０】
非切削成形方法において本発明により好ましく使用されるイオン液体は、例えば、一般式
Ｒ１Ｒ２Ｒ３Ｒ４Ｎ＋        （ＩＶ）
Ｒ１Ｒ２Ｎ＋＝ＣＲ３Ｒ４    （Ｖ）
Ｒ１Ｒ２Ｒ３Ｒ４Ｐ＋        （ＶＩ）
Ｒ１Ｒ２Ｐ３＝ＣＲ３Ｒ４    （ＶＩＩ）
Ｒ１Ｒ２Ｒ３Ｓ＋          （ＶＩＩＩ）
［式中、
Ｒ１、Ｒ２、Ｒ３、Ｒ４は、同じか、または異なり、かつ水素、線状または分岐状の、場合により二重結合を含有する、１〜３０個の炭素原子を有する脂肪族炭化水素残基、場合により二重結合を含有する５〜４０個の炭素原子を有するシクロ脂肪族炭化水素残基、６〜４０個の炭素原子を有する芳香族炭化水素残基、７〜４０個の炭素原子を有するアルキルアリール残基、１個もしくは複数個のヘテロ原子（場合により二重結合を含有するＣ１−Ｃ３０アルキル残基、特に、−ＣＨ３と同じＲ’を有する酸素、ＮＨ、ＮＲ’）によって中断される線状または分岐状の、場合により二重結合を含有する、２〜３０個の炭素原子を有する脂肪族炭化水素残基、−Ｏ−Ｃ（Ｏ）−、−（Ｏ）Ｃ−Ｏ−、−ＮＨ−Ｃ（Ｏ）−、−（Ｏ）Ｃ−ＮＨ、−（ＣＨ３）Ｎ−Ｃ（Ｏ）−、−（Ｏ）Ｃ−Ｎ（ＣＨ３）−、−Ｓ（Ｏ２）−Ｏ−、−Ｏ−Ｓ（Ｏ２）−、−Ｓ（Ｏ２）−ＮＨ−、−ＮＨ−Ｓ（Ｏ２）−、−Ｓ（Ｏ２）−Ｎ（ＣＨ３）−、−Ｎ（ＣＨ３）−Ｓ（Ｏ２）−からなる群から選択される１つもしくは複数の官能基によって中断される線状または分岐状の、場合により二重結合を含有する、２〜３０個の炭素原子を有する脂肪族炭化水素残基、末端にある、（場合により二重結合を含有するＣ１−Ｃ３０アルキル残基と同じＲ’を有する）ＯＨ、ＯＲ’、ＮＨ２、Ｎ（Ｈ）Ｒ’、Ｎ（Ｒ’）２、官能化線状または分岐状の、場合により二重結合を含有する、１〜３０個の炭素原子を有する脂肪族またはシクロ脂肪族炭化水素残基、または−（Ｒ５−Ｏ）ｎ−Ｒ６から構成されたブロックごとにもしくはランダムに構成されたポリエーテルを意味し、
ここで、
Ｒ５は、２〜４個の炭素原子を含有する線状または分岐状の炭化水素残基であり、
ｎは、１〜１００、好ましくは、２〜６０であり、かつ
Ｒ６は、水素、線状または分岐状の、場合により二重結合を含有する、１〜３０個の炭素原子を有する脂肪族炭化水素残基、場合により二重結合を含有する、５〜４０個の炭素原子を有するシクロ脂肪族炭化水素残基、６〜４０個の炭素原子を有する芳香族炭化水素残基、７〜４０個の炭素原子を有するアルキルアリール残基を意味し、または残基−Ｃ（Ｏ）−Ｒ７であり、
Ｒ７は、線状または分岐状の、場合により二重結合を含有する、１〜３０個の炭素原子を有する脂肪族炭化水素残基、場合により二重結合を含有する、５〜４０個の炭素原子を有するシクロ脂肪族炭化水素残基、６〜４０個の炭素原子を有する芳香族炭化水素残基、７〜４０個の炭素原子を有するアルキルアリール残基と同じである］の少なくとも１つの陽イオンからなりうる。
【００２１】
陽イオンとしては、さらに、場合により置換されうる４〜１０、好ましくは、５〜６環のヘテロ環状環において、少なくとも三重結合の窒素原子を有する飽和または不飽和環状化合物、および芳香族化合物に由来するイオンが考慮される。かかる陽イオンは、次の一般式（ＩＸ）、（Ｘ）、および（ＸＩ）によって簡略化して（すなわち、分子中の二重結合の正確な位置および数の表示なしに）記載されるが、ここでヘテロ環状環は、場合により多数のヘテロ原子をも含有しうる。
【化１】
2009030056.tif 000002
［式中、Ｒ１およびＲ２は、前述の意味を有し、
Ｒは、水素、線状または分岐状の、場合により二重結合を含有する、１〜３０個の炭素原子を有する脂肪族炭化水素残基、場合により二重結合を含有する、５〜４０個の炭素原子を有する脂肪族炭化水素残基、６〜４０個の炭素原子を有する芳香族炭化水素残基、または７〜４０個の炭素原子を有するアルキルアリール残基であり、
Ｘは、酸素原子、イオウ原子、または置換窒素原子である（Ｘ＝Ｏ、Ｓ、ＮＲ１）］。
【００２２】
前述の種類の環状窒素化合物の例が、ピロリジン、ジヒドロピロール、ピロール、イミダゾリン、オキサゾリン、オキサゾール、チアゾリン、チアゾール、イソキサゾール、イソチアゾール、インドール、カルバゾール、ピペリジン、ピリジン、イソマーピコリンおよびルチジン、チノリンおよびイソチノリンである。一般式（ＩＸ）、（Ｘ）、および（ＸＩ）の環状窒素化合物は、置換されず（Ｒ＝Ｈ）、単一または多重にも残基Ｒによって置換されうるが、Ｒによる多重置換に際しては個々の残基Ｒは異なりうる。
【００２３】
陽イオンとしては、さらに、それぞれ、４〜１０、好ましくは、５〜６環のヘテロ環状環において２個以上の三重結合窒素原子を有する飽和非環状、飽和または不飽和環状化合物、および芳香族化合物に由来するイオンが考えられる。これらの化合物は、炭素原子において、および窒素原子において置換されうる。さらに、これらは、場合により置換されたベンゾール環および／またはシクロヘキサン環によって多環構造の形成下で環状化できる。かかる化合物の例が、ピラゾール、３，５−ジメチルピラゾール、イミダゾール、ベンゾイミダゾール、Ｎ−メチルイミダゾール、ジヒドロピラゾール、ピラゾリジン、ピリダジン、ピリミジン、ピラジン、２，３−、２，５−、および２，６−ジメチルピラジン、シンノリン、フタラジン、キナゾリン、フェナジン、およびピペラジンである。特に、イミダゾールおよびそのアルキルおよびフェニル誘導体に由来する陽イオンが、イオン液体の成分として有効である。
【００２４】
好ましくは、アルコキシル化脂肪酸の第四級アンモニウム塩（アルカノールアミンエステルクアットとも呼ばれる）は、Ｒ１Ｒ２Ｒ３Ｒ４Ｎ＋Ａ−（ＩＶ）型の一般式によって特徴づけられるが、ここでＲ１は１〜２０個の炭素原子を有するアルキル残基、Ｒ２は１〜４個の炭素原子を有するアルキル残基、Ｒ３は１〜２００のｎ、およびＨまたはＣＨ３と同じＲを有する残基（ＣＨ２ＣＨＲＯ）ｎ−Ｈ、Ｒ４は１〜４個の炭素原子を有するアルキル残基、または１〜２００のｎ、およびＨまたはＣＨ３と同じＲを有する残基（ＣＨ２ＣＨＲＯ）ｎ−Ｈ、およびＡ−は一価陰イオンである。
【００２５】
これらの化合物において、式
Ｒ６４−ｍＮ＋［（ＣＨ２）ｎ−Ｑ−Ｒ７］ｍＸ−      （ＸＩＩ）
の物質が好ましく、式中、
各々の残基Ｒ６は、互いに独立して、１〜６個の炭素原子を有するアルキル基またはヒドロキシアルキル基、またはベンジル基かつ好ましくは、メチル基であり、
Ｒ７は、互いに独立して水素、１１〜２２個の炭素原子を有する線状または分岐状のアルキル基、１１〜２２個の炭素原子を有する線状または分岐状のアルケニル基であるが、少なくとも１つの残基Ｒ７が水素ではないことを条件とし、
Ｑは、式−Ｏ−ＣＯ）−、−Ｃ（Ｏ）Ｏ、−ＮＲ８−Ｃ（Ｏ）−、−Ｃ（Ｏ）−ＮＲ８−、−Ｏ−Ｃ（Ｏ）−Ｏ、−ＣＨＲ９−Ｏ−Ｃ（Ｏ）−、または−ＣＨ（ＯＣＯＲ７）−ＣＨ２−Ｏ−Ｃ（Ｏ）−からなる群から独立して選択され、ここでＲ８は水素、メチル、エチル、プロピル、またはブチル残基であり、かつＲ９は水素またはメチルであるとともに、Ｑは好ましくは、−Ｏ−Ｃ（Ｏ）−または−ＮＨ−Ｃ（Ｏ）−であり、
ｍは、１〜４、好ましくは、２または３と同じであり、
ｎは、１〜４、好ましくは、２と同じであり、かつ
Ｘは、応用適合性の陰イオン、例えば、メチル硫酸塩、エチル硫酸塩、メチルスルホン酸塩、ブチル硫酸塩、オクチル硫酸塩、ホスフィン酸塩、または２−（２−メトキシエトキシ）エチル硫酸塩、好ましくは、メチル硫酸塩、２−（２−メトキシエトキシ）エチル硫酸塩、オクチル硫酸塩およびホスフィン酸塩である。
【００２６】
第四級アンモニウム化合物は、水素と同じではなく、その値が１からｍまでに達するさまざまな基Ｒ７を有する化合物の混合物を含有しうる。好ましくは、かかる混合物は、水素ではない平均１．２〜２．５の基Ｒ７を包含する。好ましくは、非水素基Ｒ７の割合は、１．４〜２．０、かつ好ましくは、１．６〜１．９である。
【００２７】
好ましい第四級アンモニウム化合物は、型
（ＸＩＩＩ）    Ｒ６Ｎ＋［ＣＨ２ＣＨＲ９ＯＨ−］［ＣＨ２ＣＨＲ９ＯＣ（Ｏ）Ｒ７］２Ｘ−
（ＸＩＶ）      Ｒ６Ｎ＋［ＣＨ２ＣＨＲ９ＯＣ（Ｏ）Ｒ７］２Ｘ−
（ＸＶ）        Ｒ６Ｎ＋［ＣＨ２ＣＨＲ９ＯＨ−］［ＣＨ２ＣＨ２ＮＨＣ（Ｏ）Ｒ７］２Ｘ−
の化合物であり、式中、Ｒ６、Ｒ７、およびＸは、式（ＸＩＩ）について上記定義された同じ意味を有する。
【００２８】
好ましくは、断片−Ｃ（Ｏ）Ｒ７は脂肪含有アシル基である。使用可能な脂肪含有アシル基は、トリグリセリドの天然源、好ましくは、獣脂、植物油、部分的に水素化した獣脂、および部分的に水素化した植物油から誘導される。使用可能なトリグリセリド源は、例えば、大豆油、獣脂、部分的に水素化した獣脂、シュロ油、シュロの核実、ナタネ種子、ラード、ココヤシの実、ナタネ、アザミ油、トウモロコシ、コメおよびトールオイル、およびこれら成分の混合物である。
【００２９】
当業者には、脂肪酸含有化合物の組成が、収穫ごとに、または多数の植物油源に依存して一定の自然の変動にさらされることが周知である。Ｒ７基は通常、飽和および不飽和脂肪族脂肪酸の線状および分岐状の炭素鎖の混合物である。
【００３０】
かかる混合物における不飽和基Ｒ７の割合は、好ましくは、少なくとも１０％、特に好ましくは、少なくとも２５％、非常に特に好ましくは、４０％〜７０％である。かかる混合物における多重不飽和基Ｒ７の割合は、１０％未満、好ましくは、５％未満、特に好ましくは、３％未満である。必要に応じて、部分水素化を行い、飽和特徴を増強すると同時に最終製品の安定性（例えば、におい、色等）を改善しうる。ヨード数によって表される不飽和成分の含量は、５〜１５０の範囲、好ましくは、５〜５０の範囲であるべきである。不飽和基Ｒ７における二重結合のシスおよびトランス異性体の比は、好ましくは、１：１より大きく、特に好ましくは、４：１〜５０：１の範囲である。
【００３１】
式（ＸＩＩＩ）の化合物の好ましい例は、
Ｎ，Ｎ−ジ（タロウイルオキシエチル）−Ｎ，Ｎ−ジメチルアンモニウム−塩化物、
Ｎ，Ｎ−ジ（カノリルオキシエチル）−Ｎ，Ｎ−ジメチルアンモニウム−塩化物、
Ｎ，Ｎ−ジ（タロウイルオキシエチル）−Ｎ−メチル，Ｎ−（２−ヒドロキシエチル）−アンモニウム−メチル硫酸塩、
Ｎ，Ｎ−ジ（カノリルオキシエチル）−Ｎ−メチル，Ｎ−（２−ヒドロキシエチル）−アンモニウム−メチル硫酸塩、
Ｎ，Ｎ−ジ（タロウイルアミドエチル）−Ｎ−メチル、Ｎ−（２−ヒドロキシエチル）アンモニウム−メチル硫酸塩、
Ｎ，Ｎ−ジ（２−タロウイルオキシ−２−オキソ−エチル）−Ｎ，Ｎ−ジメチルアンモニウム−塩化物、
Ｎ，Ｎ−ジ（２−カノリルオキシ−２−オキソ−エチル）−Ｎ，Ｎ−ジメチルアンモニウム−塩化物、
Ｎ，Ｎ−ジ（２−タロウイルオキシエチルカルボニルオキシエチル）−Ｎ，Ｎ−ジメチル−アンモニウム−塩化物、
Ｎ，Ｎ−ジ（２−カノリルオキシエチルカルボニルオキシエチル）−Ｎ，Ｎ−ジメチルアンモニウム−塩化物、
Ｎ（２−タロウイルオキシ−２−エチル）−Ｎ−（２−タロウイルオキシ−２−オキソ−エチル）−Ｎ，Ｎ−ジメチルアンモニウム−塩化物、
Ｎ（２−カノリルオキシ−２−エチル）−Ｎ（２−カノリルオキシ−２−オキソ−エチル）−Ｎ，Ｎ−ジメチルアンモニウム−塩化物、
Ｎ，Ｎ，Ｎ−トリ（タロウイルオキシエチル）−Ｎ−メチルアンモニウム−塩化物、
Ｎ，Ｎ，Ｎ−トリ（カノリルオキシエチル）−Ｎ−メチルアンモニウム−塩化物、
１，２−ジタロウイルオキシ−３−Ｎ，Ｎ，Ｎ−トリメチルアンモニウムプロピル−塩化物、および
１，２−ジカノリルオキシ−３−Ｎ，Ｎ，Ｎ−トリメチルアンモニウムプロピル−塩化物である。
【００３２】
さらに好ましい第四級アンモニウム塩は、ジタロウジメチルアンモニウム塩化物、ジタロウジメチルアンモニウムメチル硫酸塩、ジメチルアンモニウム塩化物、ジ（水素化タロウ）ジステアリールジメチルアンモニウム塩化物、およびジベヘニルジメチルアンモニウム塩化である。
【００３３】
陽イオンとしては、さらに、２個の窒素原子を含有し、かつ一般式（ＸＩＩ）
【化２】
2009030056.tif 000003
［式中、
Ｒ８、Ｒ９、Ｒ１０、Ｒ１１、Ｒ１２は、同一または異なり、かつ水素、線状または分岐状の、場合により二重結合を含有する、１〜３０個の炭素原子を有する脂肪族炭化水素残基、場合により二重結合を含有する５〜４０個の炭素原子を有するシクロ脂肪族炭化水素残基、６〜４０個の炭素原子を有する芳香族炭化水素残基、７〜４０個の炭素原子を有するアルキルアリール残基、１個もしくは複数個のヘテロ原子（場合により二重結合を含有するＣ１−Ｃ３０アルキル残基と同じＲ’を有する酸素、ＮＨ、ＮＲ’）によって中断される線状または分岐状の、場合により二重結合を含有する、１〜３０個の炭素原子を有する脂肪族炭化水素残基、−Ｏ−Ｃ（Ｏ）−、−（Ｏ）Ｃ−Ｏ−、−ＮＨ−Ｃ（Ｏ）−、−（Ｏ）Ｃ−ＮＨ、−（ＣＨ３）Ｎ−Ｃ（Ｏ）−、−（Ｏ）Ｃ−Ｎ（ＣＨ３）−、−Ｓ（Ｏ２）−Ｏ−、−Ｏ−Ｓ（Ｏ２）−、−Ｓ（Ｏ２）−ＮＨ−、−ＮＨ−Ｓ（Ｏ２）−、−Ｓ（Ｏ２）−Ｎ（ＣＨ３）−、−Ｎ（ＣＨ３）−Ｓ（Ｏ２）−からなる群から選択される１つもしくは複数の官能基によって中断される線状または分岐状の、場合により二重結合を含有する、１〜３０個の炭素原子を有する脂肪族炭化水素残基、末端にある、場合により二重結合を含有するＣ１−Ｃ３０アルキル残基と同じＲ’を有するＯＨ、ＯＲ’、ＮＨ２、Ｎ（Ｈ）Ｒ’、Ｎ（Ｒ’）２、官能化線状または分岐状の、場合により二重結合を含有する、１〜３０個の炭素原子を有する脂肪族またはシクロ脂肪族炭化水素残基、または−（Ｒ５−Ｏ）ｎ−Ｒ６から構成されたブロックごとにもしくはランダムに構成されたポリエーテルを意味し、
ここで、
Ｒ５は、２〜４個の炭素原子を含有する炭化水素残基であり、
ｎは、１〜１００であり、かつ
Ｒ６は、水素、線状または分岐状の、場合により二重結合を含有する、１〜３０個の炭素原子を有する脂肪族炭化水素残基、場合により二重結合を含有する、５〜４０個の炭素原子を有するシクロ脂肪族炭化水素残基、６〜４０個の炭素原子を有する芳香族炭化水素残基、７〜４０個の炭素原子を有するアルキルアリール残基を意味し、または残基−Ｃ（Ｏ）−Ｒ７であり、
Ｒ７は、線状または分岐状の、場合により二重結合を含有する、１〜３０個の炭素原子を有する脂肪族炭化水素残基、場合により二重結合を含有する、５〜４０個の炭素原子を有するシクロ脂肪族炭化水素残基、６〜４０個の炭素原子を有する芳香族炭化水素残基、７〜４０個の炭素原子を有するアルキルアリール残基と同じである］によって表されているイオンが考えられる。
【００３４】
非常に特に好ましいイミダゾリウムイオン（ＸＶＩ）として挙げられるのは、１−メチルイミダゾリウム、１−エチルイミダゾリウム、１−（１−ブチル）−イミダゾリウム、１−（１−オクチル）−イミダゾリウム、１−（１−ドデシル）−イミダゾリウム、１−（１−テトラデシル）−イミダゾリウム、１−（１−ヘキサデシル）−イミダゾリウム、１，３−ジメチルイミダゾリウム、１−エチル−３−メチルイミダゾリウム、１−（１−ブチル）−３−メチルイミダゾリウム、１−（１−ブチル）−３−メチルイミダゾリウム、１−（１−ブチル）−３−エチルイミダゾリウム、１−（１−ヘキシル）−３−メチルイミダゾリウム、１−（１−ヘキシル）−３−エチルイミダゾリウム、１−（１−ヘキシル）−３−ブチルイミダゾリウム、１−（１−オクチル）−３−メチルイミダゾリウム、１−（１−オクチル）−３−ブチルイミダゾリウム、１−（１−オクチル）−３−エチルイミダゾリウム、１−（１−ドデシル）−３−メチルイミダゾリウム、１−（１−ドデシル）−３−エチルイミダゾリウム、１−（１−ドデシル）−３−ブチルイミダゾリウム、１−（１−ドデシル）−３−オクチルイミダゾリウム、１−（１−テトラデシル）−３−メチルイミダゾリウム、１−（１−テトラデシル）−３−エチルイミダゾリウム、１−（１−テトラデシル）−３−ブチルイミダゾリウム、１−（１−テトラデシル）−３−オクチルイミダゾリウム、１−（１−ヘキサデシル）−３−メチルイミダゾリウム、１−（１−ヘキサデシル）−３−エチルイミダゾリウム、１−（１−ヘキサデシル）−３−ブチルイミダゾリウム、１−（１−ヘキサデシル）−３−オクチルイミダゾリウム、１，２−ジメチルイミダゾリウム、１，２，３−トリメチルイミダゾリウム、１−エチル−２，３−ジメチルイミダゾリウム、１−（１−ブチル）−２，３−ジメチルイミダゾリウム、１−（１−ヘキシル）−２，３−ジメチルイミダゾリウム、１−（１−オクチル）−２，３−ジメチルイミダゾリウム、１，４−ジメチルイミダゾリウム、１，３，４−トリメチルイミダゾリウム、１，４−ジメチル−３−エチルイミダゾリウム、３−ブチルイミダゾリウム、１，４−ジメチル−３−オクチルイミダゾリウム、１，４，５−トリメチルイミダゾリウム、１，３，４，５−テトラメチルイミダゾリウム、１，４，５−トリメチル−３−エチルイミダゾリウム、１，４，５−トリメチル−３−ブチルイミダゾリウム、および１，４，５−トリメチル−３−オクチルイミダゾリウムである。
【００３５】
さらに、陽イオンとしては、特に、二量化、三量化、または重合に基づき前述の陽イオンから構成されてジカチオン、トリカチオン、またポリカチオンを形成するイオンが考えられる。この中には、例えば、シロキサン、ポリエーテル、ポリエステル、ポリアミド、またはポリアクリレートに基づきポリマーバック骨格、特に分岐状ポリマーおよびハイパーブランチポリマーを有するジカチオン、トリカチオン、およびポリカチオンもまとめて含まれる。
【００３６】
本発明の好ましい実施形態において、陽イオン［Ａ］＋がピリジニウムイオン（ＸＶＩＩａ）
【化３】
2009030056.tif 000004
［式中、
・残基Ｒ１〜Ｒ５の１つが、メチル、エチル、またはクロルであり、かつ残留残基Ｒ１〜Ｒ５は水素であり、
・Ｒ３はジメチルアミノであり、かつ残留残基Ｒ１、Ｒ２、Ｒ４、およびＲ５は水素であり、
・すべての残基Ｒ１〜Ｒ５は水素であり、
・Ｒ２は、カルボキシまたはカルボキサミドであり、かつ残留残基Ｒ１、Ｒ２、Ｒ４、およびＲ５は水素であり、または
・Ｒ１およびＲ２またはＲ２およびＲ３は、１，４−ブタ−１，３−ジエニルであり、かつ残留残基Ｒ１、Ｒ２、Ｒ４、およびＲ５は水素であり、
特に、
・Ｒ１〜Ｒ５は、水素であり、または
・残基Ｒ１〜Ｒ５の１つは、メチルまたはエチルであり、かつ残留残基Ｒ１〜Ｒ５は水素である］であるイオン液体が使用される。
【００３７】
非常に特に好ましいピリジニウムイオン（ＸＶＩＩａ）として挙げられるのは、１−メチルピリジニウム、１−エチルピリジニウム、１−（１−ブチル）−ピリジニウム、１−（１−ヘキシル）−ピリジニウム、１−（１−オクチル）−ピリジニウム、１−（１−ヘキシル）−ピリジニウム、１−（１−オクチル）−ピリジニウム、１−（１−ドデシル）−ピリジニウム、１−（１−テトラデシル）−ピリジニウム、１−（１−ヘキサデシル）−ピリジニウム、１，２−ジメチルピリジニウム、１−エチル−２−メチルピリジニウム、１−（１−ブチル）−２−メチルピリジニウム、１−（１−ヘキシル）−２−メチルピリジニウム、１−（１−オクチル）−２−メチルピリジニウム、１−（１−ドデシル）−２−メチルピリジニウム、１−（１−テトラデシル）−２−メチルピリジニウム、１−（１−ヘキサデシル）−２−メチルピリジニウム、１−メチル−２−エチルピリジニウム、１，２−ジエチルピリジニウム、１−（１−ブチル）−２−エチルピリジニウム、１−（１−ヘキシル）−２−エチルピリジニウム、１−（１−オクチル）−２−エチルピリジニウム、１−（１−ドデシル）−２−エチルピリジニウム、１−（１−テトラデシル）−２−エチルピリジニウム、１−（１−ヘキサデシル）−２−エチルピリジニウム、１，２−ジメチル−５−エチルピリジニウム、１，５−ジエチル−２−メチルピリジニウム、１−（１−ブチル）−２−メチル−３−エチルピリジニウム、１−（１−ヘキシル）−２−メチル−３−エチルピリジニウムおよび１−（１−オクチル）−２−メチル−３−エチルピリジニウム、１−（１−ドデシル）−２−メチル−３−エチル−ピリジニウム、１−（１−テトラデシル）−２−メチル−３−エチルピリジニウムおよび１−（１−ヘキサデシル）−２−メチル−３−エチルピリジニウムである。
【００３８】
さらに、非常に特に好ましくは、陽イオン［Ａ］＋がピリダジニウムイオン（ＸＶＩＩｂ）
【化４】
2009030056.tif 000005
［式中、
・Ｒ１〜Ｒ４は水素であり、または
・残基Ｒ１〜Ｒ４の１つはメチルまたはエチルであり、かつ残留残基Ｒ１〜Ｒ４は水素である］のイオン液体である。
【００３９】
さらに、非常に特に好ましくは、陽イオン［Ａ］＋がピリミジニウムイオン（ＸＶＩＩｃ）
【化５】
2009030056.tif 000006
［式中、
・Ｒ１は水素、メチル、またはエチルであり、かつＲ２〜Ｒ４は互いに独立して水素またはメチルであり、または
・Ｒ１は水素、メチル、またはエチルであり、Ｒ２およびＲ４はメチルであり、かつＲ３は水素である］のイオン液体である。
【００４０】
さらに、非常に特に好ましくは、陽イオン［Ａ］＋がピラジニウムイオン（ＸＶＩＩｄ）
【化６】
2009030056.tif 000007
［式中、
・Ｒ１は水素、メチル、またはエチルであり、かつＲ２〜Ｒ４は互いに独立して水素またはメチルであり、
・Ｒ１は水素、メチル、またはエチルであり、かつＲ２およびＲ４はメチルであり、かつＲ３は水素であり、
・Ｒ１〜Ｒ４はメチルであり、または
・Ｒ１〜Ｒ４はメチルまたは水素である］のイオン液体である。
【００４１】
さらに、非常に特に好ましくは、陽イオン［Ａ］＋がピラゾリウムイオン（ＸＶＩＩｆ）、（ＸＶＩＩｇ）、もしくは（ＸＶＩＩｇ’）
【化７】
2009030056.tif 000008
［式中、
・Ｒ１は水素、メチル、またはエチルであり、かつＲ２〜Ｒ４は互いに独立して水素またはメチルである］のイオン液体である。
【００４２】
さらに、非常に特に好ましくは、陽イオン［Ａ］＋がピラゾリウムイオン（ＸＶＩＩｈ）
【化８】
2009030056.tif 000009
［式中、
・Ｒ１〜Ｒ４は互いに独立して水素またはメチルである］のイオン液体である。
【００４３】
さらに、非常に特に好ましくは、陽イオン［Ａ］＋が１−ピラゾリニウムイオン（ＸＶＩＩｉ）
【化９】
2009030056.tif 000010
［式中、
・互いに独立してＲ１〜Ｒ６は水素またはメチルである］のイオン液体である。
【００４４】
さらに、非常に特に好ましくは、陽イオン［Ａ］＋が２−ピラゾリニウムイオン（ＸＶＩＩｊ）
【化１０】
2009030056.tif 000011
［式中、
・Ｒ１は水素、メチル、エチル、またはフェニルであり、かつＲ２〜Ｒ６は互いに独立して水素またはメチルである］のイオン液体である。
【００４５】
非常に特に好ましくは、陽イオン［Ａ］＋が３−ピラゾリニウムイオン（ＸＶＩＩｋ）もしくは（ＸＶＩＩｋ’）
【化１１】
2009030056.tif 000012
［式中、
・Ｒ１およびＲ２は互いに独立して水素、メチル、エチル、またはフェニルであり、かつＲ３〜Ｒ６は互いに独立して水素またはメチルである］のイオン液体でもある。
【００４６】
さらに、非常に特に好ましくは、陽イオン［Ａ］＋がイミダゾリニウムイオン（ＸＶＩＩ１）
【化１２】
2009030056.tif 000013
［式中、
・Ｒ１およびＲ２は互いに独立して水素、メチル、エチル、１−ブチル、またはフェニルであり、Ｒ３およびＲ４は互いに独立して水素、メチル、またはエチルであり、かつＲ５およびＲ６は互いに独立して水素またはメチルである］のイオン液体である。
【００４７】
さらに、非常に特に好ましくは、陽イオン［Ａ］＋がイミダゾリニウムイオン（ＸＶＩＩｍ）もしくは（ＸＶＩＩｍ’）
【化１３】
2009030056.tif 000014
［式中、
・Ｒ１およびＲ２は互いに独立して水素、メチル、またはエチルであり、かつＲ３〜Ｒ６は互いに独立して水素またはメチルである］のイオン液体である。
【００４８】
さらに、非常に特に好ましくは、陽イオン［Ａ］＋がイミダゾリニウムイオン（ＸＶＩＩｎ）もしくは（ＸＶＩＩｎ’）
【化１４】
2009030056.tif 000015
［式中、
・Ｒ１〜Ｒ３は互いに独立して水素、メチル、またはエチルであり、かつＲ４〜Ｒ６は互いに独立して水素またはメチルである］のイオン液体である。
【００４９】
さらに、非常に特に好ましくは、陽イオン［Ａ］＋がチアゾリウムイオン（ＸＶＩＩｏ）もしくは（ＸＶＩＩｏ’）およびオキサゾリウムイオン（ＸＶＩＩｐ）
【化１５】
2009030056.tif 000016
［式中、
・Ｒ１は水素、メチル、エチル、またはフェニルであり、かつＲ２およびＲ３は互いに独立して水素またはメチルである］のイオン液体である。
【００５０】
非常に特に好ましくは、陽イオン［Ａ］＋が１，２，４−トリアゾリウムイオン（ＸＶＩＩｑ）、（ＸＶＩＩｑ’）もしくは（ＸＶＩＩｑ’’）
【化１６】
2009030056.tif 000017
［式中、
・Ｒ１およびＲ２は互いに独立して水素、メチル、エチル、またはフェニルであり、かつＲ３は水素、メチル、またはフェニルである］のイオン液体でもある。
【００５１】
さらに、非常に特に好ましくは、陽イオン［Ａ］＋が１，２，３−トリアゾリウムイオン（ＸＶＩＩｒ）、（ＸＶＩＩｒ’）もしくは（ＸＶＩＩｒ’’）
【化１７】
2009030056.tif 000018
［式中、
・Ｒ１は水素、メチル、またはエチルであり、かつＲ２およびＲ３は互いに独立して水素またはメチルであり、またはＲ２およびＲ３は共に１，４−ブタ−１，３−ジエニルである］のイオン液体である。
【００５２】
さらに、非常に特に好ましくは、陽イオン［Ａ］＋がピロリジニウムイオン（ＸＶＩＩｓ）
【化１８】
2009030056.tif 000019
［式中、
・Ｒ１は水素、メチル、エチル、またはフェニルであり、かつＲ２〜Ｒ９は互いに独立して水素またはメチルである］のイオン液体である。
【００５３】
さらに、非常に特に好ましくは、陽イオン［Ａ］＋がイミダゾリジニウムイオン（ＸＶＩＩｔ）
【化１９】
2009030056.tif 000020
［式中、
・Ｒ１およびＲ４は互いに独立して水素、メチル、エチル、またはフェニルであり、かつＲ２およびＲ３ならびにＲ５〜Ｒ８は互いに独立して水素またはメチルである］のイオン液体である。
【００５４】
非常に特に好ましくは、陽イオン［Ａ］＋がアンモニウムイオン（ＸＶＩＩＩ）
【化２０】
2009030056.tif 000021
［式中、
・Ｒ１〜Ｒ３は互いに独立してＣ１−Ｃ１８−アルキルであり、または
・Ｒ１〜Ｒ３は互いに独立して水素またはＣ１−Ｃ１８−アルキルであり、かつＲ４は２−ヒドロキシエチルであり、または
・Ｒ１およびＲ２は共に１，５−ペンチルまたは３−オキサ−１，５−ペンチルであり、かつＲ３はＣ１−Ｃ１８−アルキル、２−ヒドロキシエチルまたは２−シアノエチルである］のイオン液体でもある。
【００５５】
特に好ましいアンモニウムイオン（ＸＶＩＩＩ）として挙げられるのは、メチル−トリ−（１−ブチル）−アンモニウム、２−ヒドロキシエチルアンモニウム、ビス（２−ヒドロキシエチル）ジメチルアンモニウム、Ｎ，Ｎ−ジメチルピペリジニウム、およびＮ，Ｎ−ジメチルモルホリニウムである。
【００５６】
さらに、陽イオン［Ａ］＋がグアニジウムイオン（ＸＶＩＩＩｖ）
【化２１】
2009030056.tif 000022
［式中、
・Ｒ１〜Ｒ５はメチルであり、
・Ｒ１〜Ｒ５は互いに独立してＣ１−Ｃ１８−アルキルであり、または
・Ｒ１〜Ｒ５は互いに独立して水素またはＣ１−Ｃ１８−アルキルまたは２−ヒドロキシエチルである］のイオン液体が特に好ましい。
【００５７】
非常に特に好ましいグアニジウムイオン（ＸＶＩＩＩｖ）としては、Ｎ，Ｎ，Ｎ’，Ｎ’，Ｎ’’，Ｎ’’−ヘキサメチルグアニジニウムが挙げられる。
【００５８】
非常に特に好ましくは、陽イオン［Ａ］＋がエタノールアミン、例えば、コリニウムイオン（ＸＩＸｗ）、またはジエタノールアミン（ＸＩＸｗ’）、またはトリエタノールアミン（ＸＩＸｗ’’）
【化２２】
2009030056.tif 000023
［式中、
・Ｒ１およびＲ２は互いに独立してメチル、エチル、１−ブチル、または１−オクチルであり、かつＲ３は、水素、メチル、エチル、アセチル，−ＳＯ２ＯＨまたは−ＰＯ（ＯＨ）２であり、
・Ｒ１はメチル、エチル、１−ブチル、または１−オクチルであり、Ｒ２は−ＣＨ２−ＣＨ２−ＯＲ４−基であり、かつＲ３およびＲ４は互いに独立して水素、メチル、エチル、アセチル、−ＳＯ２ＯＨ、または−ＰＯ（ＯＨ）２であり、または
・Ｒ１は−ＣＨ２−ＣＨ２−ＯＲ４−基であり、Ｒ２は−ＣＨ２−ＣＨ２−ＯＲ５−基であり、かつＲ３〜Ｒ５は互いに独立して水素、メチル、エチル、アセチル、−ＳＯ２ＯＨ、または−ＰＯ（ＯＨ）２であり、
・Ｒ１はメチル、エチル、１−ブチル、１−オクチル、アセチル、−ＳＯ２ＯＨ、または−ＰＯ（ＯＨ）２であり、かつＲ３〜Ｒ５は互いに独立して水素、メチル、エチル、アセチル、−ＳＯ２ＯＨ、−ＰＯ（ＯＨ）２であり、または
−（ＣｎＨ２ｎＯ）ｍＲ１は、ｎ＝１〜５、およびｍ＝１〜１００である］の誘導体であるイオン液体でもある。
【００５９】
非常に特に好ましくは、陽イオン［Ａ］＋がホスホニウムイオン（ＶＩ）であり、ここでＲ１〜Ｒ４が互いに独立してＣ１−Ｃ１８−アルキル、特に、ブチル、イソブチル、１−ヘキシルまたは１−オクチルであるイオン液体である。
【００６０】
上記の陽イオンの中には、ピリジニウムイオン（ＸＶＩＩａ）、イミダゾリウムイオン（ＸＶＩ）およびアンモニウムイオン（ＸＶＩＩＩ）、好ましくは、特に１−メチルピリジニウム、１−エチルピリジニウム、１−（１−ブチル）ピリジニウム、１−（１−ヘキシル）ピリジニウム、１−（１−オクチル）ピリジニウム、１−（１−ヘキシル）−ピリジニウム、１−（１−オクチル）ピリジニウム、１−（１−ドデシル）ピリジニウム、１−（１−テトラデシル）ピリジニウム、１−（１−ヘキサデシル）−ピリジニウム、１，２−ジメチルピリジニウム、１−エチル−２−メチルピリジニウム、１−（１−ブチル）−２−メチルピリジニウム、１−（１−ヘキシル）−２−メチルピリジニウム、１−（１−オクチル）−２−メチルピリジニウム、１−（１−ドデシル）−２−メチルピリジニウム、１−（１−テトラデシル）−２−メチルピリジニウム、１−（１−ヘキサデシル）−２−メチルピリジニウム、１−メチル−２−エチルピリジニウム、１，２−ジエチルピリジニウム、１−（１−ブチル）−２−エチルピリジニウム、１−（１−ヘキシル）−２−エチルピリジニウム、１−（１−オクチル）−２−エチルピリジニウム、１−（１−ドデシル）−２−エチルピリジニウム、１−（１−テトラデシル）−２−エチル−ピリジニウム、１−（１−ヘキサデシル）−２−エチルピリジニウム、１，２−ジメチル−５−エチル−ピリジニウム、１，５−ジエチル−２−メチルピリジニウム、１−（１−ブチル）−２−メチル−３−エチルピリジニウム、１−（１−ヘキシル）−２−メチル−３−エチルピリジニウム、１−（１−オクチル）−２−メチル−３−エチルピリジニウム、１−（１−ドデシル）−２−メチル−３−エチルピリジニウム、１−（１−テトラデシル）−２−メチル−３−エチル−ピリジニウム、１−（１−ヘキサデシル）−２−メチル−３−エチルピリジニウム，１−メチルイミダゾリウム、１−エチルイミダゾリウム、１−（１−ブチル）−イミダゾリウム、１−（１−オクチル）−イミダゾリウム、１−（１−ドデシル）−イミダゾリウム、１−（１−テトラデシル）−イミダゾリウム、１−（１−ヘキサデシル）−イミダゾリウム、１，３−ジメチルイミダゾリウム、１−エチル−３−メチルイミダゾリウム、１−（１−ブチル）−３−メチルイミダゾリウム、１−（１−ヘキシル）−３−メチル−イミダゾリウム、１−（１−オクチル）−３−メチルイミダゾリウム、１−（１−ドデシル）−３−メチルイミダゾリウム，１−（１−テトラデシル）−３−メチルイミダゾリウム、１−（１−ヘキサデシル）−３−メチルイミダゾリウム、１，２−ジ−メチルイミダゾリウム、１，２，３−トリメチルイミダゾリウム、１−エチル−２，３−ジ−メチルイミダゾリウム、１−（１−ブチル）−２，３−ジメチルイミダゾリウム、１−（１−ヘキシル）−２，３−ジメチルイミダゾリウムおよび１−（１−オクチル）−２，３−ジメチルイミダゾリウム、１，４−ジメチルイミダゾリウム、１，３，４−トリメチルイミダゾリウム、１，４−ジメチル−３−エチルイミダゾリウム、３−ブチルイミダゾリウム、１，４−ジメチル−３−オクチルイミダゾリウム、１，４，５−トリメチルイミダゾリウム、１，３，４，５−テトラメチルイミダゾリウム、１，４，５−トリメチル−３−エチルイミダゾリウム、１，４，５−トリメチル−３−ブチルイミダゾリウム、１，４，５−トリメチル−３−オクチルイミダゾリウム、および２−ヒドロオキシエチルアンモニウムがある。
【００６１】
式（ＩＩＩａ）〜（ＩＩＩｊ）において挙げられた金属陽イオン［Ｍ１］＋、［Ｍ２］＋、［Ｍ３］＋、［Ｍ４］２＋、および［Ｍ５］３＋は、一般に周期系の１、２、６、７、８、９、１０、１１、１２、および１３群の金属陽イオンであることが重要である。適切な金属陽イオンは、例えば、Ｌｉ＋、Ｎａ＋、Ｋ＋、Ｃｓ＋、Ｍｇ２＋、Ｃａ２＋、Ｂａ２＋、Ｃｒ３＋、Ｆｅ２＋、Ｆｅ３＋、Ｃｏ２＋、Ｎｉ２＋、Ｃｕ２＋、Ａｇ＋、Ｚｎ２＋、およびＡｌ３＋である。
【００６２】
本発明により好ましく使用されるイオン液体は、それぞれ少なくとも１つの陰イオンと組合せた前述の陽イオンの少なくとも１つからなる。陰イオンとしては、陽イオンと結合してイオン液体をもたらす原則的にすべての陰イオンが使用可能である。
【００６３】
イオン液体の陰イオン［Ｙ］ｎ−は、例えば、
・式、すなわち、Ｆ−、Ｃｌ−、Ｂｒ−、Ｉ−、ＢＦ４−、ＰＦ６−、ＡｌＣｌ４−、Ａｌ２Ｃｌ７−、Ａｌ３Ｃｌ１０−、ＡｌＢｒ４−、ＦｅＣＩ４−、ＢＣｌ４−、ＳｂＦ６−、ＡｓＦ６−、ＺｎＣｌ３−、ＳｎＣｌ３−、ＣｕＣｌ２−、ＣＦ３ＳＯ３，（ＣＦ３ＳＯ３）２Ｎ−、ＣＦ３ＣＯ２−、ＣＣｌ３ＣＯ２−、ＣＮ−、ＳＣＮ−、ＯＣＮ−、ＮＯ２−、ＮＯ３−、Ｎ（ＣＮ）−のハロゲン化物およびハロゲン含有化合物の群、
・一般式、すなわち、ＳＯ４２−、ＨＳＯ４−、ＳＯ３２”、ＨＳＯ３−、ＲａＯＳＯ３−、ＲａＳＯ３−の硫酸塩、亜硫酸塩、およびスルホン酸塩の群、
・一般式、すなわち、ＰＯ４３−、ＨＰＯ４２−、Ｈ２ＰＯ４−、ＲａＰＯ４２−、ＨＲａＰＯ４−、ＲａＲｂＰＯ４−のリン酸塩の群、
・一般式、すなわち、ＲａＨＰＯ３−、ＲａＲｂＰＯ２−、ＲａＲｂＰＯ３−のホスホン酸塩およびホスフィン酸塩の群、
・一般式、すなわち、ＰＯ３３−、ＨＰＯ３２−、Ｈ２ＰＯ３−、ＲａＰＯ３２−、ＲａＨＰＯ３−、ＲａＲｂＰＯ３−の亜リン酸塩の群、
・一般式、すなわち、ＲａＲｂＰＯ２−、ＲａＨＰＯ２−、ＲａＲｂＰＯ−、ＲａＨＰＯ−のホスホナイト（Phosphonite）およびホスフィナイト（Phosphinite）の群、
・一般式、すなわち、ＲａＣＯＯ−のカルボン酸塩の群、
・一般式、すなわち、ＢＯ３３−、ＨＢＯ３２−、Ｈ２ＢＯ３−、ＲａＲｂＢＯ３−、ＲａＨＢＯ３−、ＲａＢＯ３２−、Ｂ（ＯＲａ）（ＯＲｂ）（ＯＲｃ）（ＯＲｄ）−、Ｂ（ＨＳＯ４）−、Ｂ（ＲａＳＯ４）−のホウ酸塩の群、
・一般式、すなわち、ＲａＢＯ２２−、ＲａＲｂＢＯ−のボロン酸塩の群、
・一般式、すなわち、ＨＣＯ３−、ＣＯ３２−、ＲａＣＯ３−のカルボン酸塩および炭酸エステルの群、
・一般式、すなわち、ＳｉＯ４４−、ＨＳｉＯ４３−、Ｈ２ＳｉＯ４２−、Ｈ３ＳｉＯ４−、ＲａＳｉＯ４３−、ＲａＲｂＳｉＯ４２−、ＲａＲｂＲｃＳｉＯ４−、ＨＲａＳｉＯ４２−、Ｈ２ＲａＳｉＯ４−、ＨＲａＲｂＳｉＯ４−のケイ酸塩およびケイ酸エステルの群、
・一般式、すなわち、ＲａＳｉＯ３３−、ＲａＲｂＳｉＯ２２−、ＲａＲｂＲｃＳｉＯ−、ＲａＲｂＲｃＳｉＯ３−、ＲａＲｂＲａＳｉＯ２−、ＲａＲｂＳｉＯ３２−のアルキルもしくはアリールシラン塩の群、
・一般式
【化２３】
2009030056.tif 000024
のカルボン酸イミド、ビス（スルホニル）イミド、およびスルホニルイミドの群、
・一般式
【化２４】
2009030056.tif 000025
のメチドの群、
・一般式、すなわち、ＲａＯ−のアルコキシドおよびアリールオキシドの群、
・一般式［ＭｒＨａｌｔ］ｓ−［式中、Ｍはフルオロ、クロル、ブロム、またはヨードの金属およびハルであり、ｒおよびｔは完全整数であり、錯体の化学量論を示し、かつｓは完全整数であり、錯体の電荷を示す］のハロメタレートの群、
・一般式、すなわち、Ｓ２−、ＨＳ−、［Ｓｖ］２−、［ＨＳｖ］−、［ＲａＳ］−［式中、ｖは２〜１０の完全整数である］の硫化物、硫化水素、多硫化物、多硫化水素、およびチオレートの群、
・Ｆｅ（ＣＮ）６３−、Ｆｅ（ＣＮ）６４−、ＭｎＯ４−、Ｆｅ（ＣＯ）４−などの錯体金属イオンの群
から選択される。
【００６４】
ここでＲａ、Ｒｂ、Ｒｃ、およびＲｄは、互いに独立して、それぞれ、
・水素、
・Ｃ１−Ｃ３０−アルキルおよびそのアリール−、ヘテロアリール−、シクロアルキル−、ハロゲン−、ヒドロオキシ−、アミノ−、カルボキシ−、ホルミル−、−Ｏ−、−ＣＯ−、−ＣＯ−Ｏ−、または−ＣＯ−Ｎ＜−置換成分、例えば、メチル、エチル、１−プロピル、２−プロピル、１−ブチル、２−ブチル、２−メチル−１−プロピル（イソブチル）、２−メチル−２−プロピル（ｔｅｒｔ−ブチル）、１−ペンチル、２−ペンチル、３−ペンチル、２−メチル−ｌ−ブチル、３−メチル−ｌ−ブチル、２−メチル−２−ブチル、３−メチル−２−ブチル、２，２−ジメチル−ｌ−プロピル、１−ヘキシル、２−ヘキシル、３−ヘキシル、２−メチル−１−ペンチル、３−メチル−１−ペンチル、４−メチル−ｌ−ペンチル、２−メチル−２−ペンチル、３−メチル−２−ペンチル、４−メチル−２−ペンチル、２−メチル−３−ペンチル、３−メチル−３−ペンチル、２，２−ジメチル−１−ブチル、２，３−ジメチル−１−ブチル、３，３−ジメチル−１−ブチル、２−エチル−１−ブチル、２，３−ジメチル−２−ブチル、３，３−ジメチル−２−ブチル、ヘプチル、オクチル、ノニル、デシル、ウンデシル、ドデシル、トリデシル、テトラデシル、ペンタデシル、ヘキサデシル、ヘプタデシル、オクタデシル、ノナデシル、イコシル、ヘニコシル、ドコシル、トリコシル、テトラコシル、ペンタコシル、ヘキサコシル、ヘプタコシル、オクタコシル、ノナコシル、トリアコンチル、フェニルメチル（ベンジル）、ジフェニルメチル、トリフェニルメチル、２−フェニルエチル、３−フェニルプロピル，シクロペンチルメチル、２−シクロペンチルエチル、３−シクロペンチルプロピル、シクロヘキシルメチル、２−シクロへキシルエチル、３−シクロへキシルプロピル、メトキシ、エトキシ、ホルミル、アセチル、またはＣｑＦ２（ｑ−ａ）＋（１−ｂ）Ｈ２ａ＋ｂ［式中、ｑ＜３０、０≦ａ≦ｑおよびｂ＝０または１（例えば、ＣＦ３、Ｃ２Ｆ５、ＣＨ２ＣＨ２−Ｃ（ｑ−２）Ｆ２（ｑ−２）＋１、Ｃ６Ｆ１３、Ｃ８Ｆ１７、Ｃ１０Ｆ２１、Ｃ１２Ｆ２５）］、
Ｃ３−Ｃ１２−シクロアルキルおよびそのアリール−、ヘテロアリール−、シクロアルキル−、ハロゲン−、ヒドロオキシ−、アミノ−、カルボキシ−、ホルミル−、−Ｏ−、−ＣＯ−または−ＣＯ−Ｏ−置換成分、例えば、シクロペンチル、２−メチル−ｌ−シクロペンチル、３−メチル−１−シクロペンチル、シクロへキシル、２−メチル−ｌ−シクロへキシル、３−メチル−ｌ−シクロへキシル、４−メチル−１−シクロへキシル、または、ＣｑＦ２（ｑ−ａ）−（１−ｂ）Ｈ２ａ−ｂ［式中、ｑ≦３０、０≦ａ≦ｑおよびｂ＝０または１］、
・Ｃ２−Ｃ３０−アルケニルおよびそのアリール−、ヘテロアリール−、シクロアルキル−、ハロゲン−、ヒドロオキシ−、アミノ−、カルボキシ−、ホルミル−、−Ｏ−、−ＣＯ−または−ＣＯ−Ｏ−置換成分、例えば、２−プロペニル、３−ブテニル、シス−２−ブテニル、トランス−２−ブテニル、またはＣｑＦ２（ｑ−ａ）−（１−ｂ）Ｈ２ａ−ｂ［式中、ｑ≦３０、０≦ａ≦ｑおよびｂ＝０または１］、
・Ｃ３−Ｃ１２−シクロアルケニルおよびそのアリール−、ヘテロアリール−、シクロアルキル−、ハロゲン−、ヒドロオキシ−、アミノ−、カルボキシ−、ホルミル−、−Ｏ−、−ＣＯ−または−ＣＯ−Ｏ−置換成分、例えば、ＣｑＦ２（ｑ−ａ）−３（１−ｂ）Ｈ２ａ−３ｂ［式中、ｑ≦３０、０≦ａ≦ｑおよびｂ＝０または１］の３−シクロペンテニル、２−シクロヘキセニル、３−シクロヘキセニル、２，５−シクロヘキサジエニル、
・２〜３０個の炭素原子を有するアリールまたはヘテロアリール、およびそのアルキル−、アリール−、ヘテロアリール−、シクロアルキル−、ハロゲン−、ヒドロオキシ−、アミノ−、カルボキシ−、ホルミル−、−Ｏ−、−ＣＯ−または−ＣＯ−Ｏ−置換成分、例えば、フェニル、２−メチルフェニル（２−トリル）、３−メチルフェニル（３−トリル）、４−メチルフェニル、２−エチル−フェニル、３−エチルフェニル、４−エチルフェニル、２，３−ジメチルフェニル、２，４−ジメチルフェニル、２，５−ジメチルフェニル、２，６−ジメチルフェニル、３，４−ジメチルフェニル、３，５−ジメチルフェニル、４−フェニル−フェニル、１−ナフチル、２−ナフチル、１−ピロールイル、２−ピロールイル、３−ピロールイル、２−ピリジニル、３−ピリジニル、４−ピリジニル、またはＣ６Ｆ（５−ａ）Ｈａ［式中、０≦ａ≦５］を意味し、または、
・２つの残基は、不飽和、飽和または芳香族、場合により官能基、アリール、アルキル、アリールオキシ、アルキルオキシ、ハロゲン、ヘテロ原子および／またはヘテロ環によって、置換され、かつ場合により１つもしくは複数の酸素原子および／またはイオウ原子および／または置換されるか、または置換されていない１つもしくは複数のイミノ基によって中断される環を意味する。
【００６５】
非常に特に好ましい陰イオンは、例えば、塩化物、臭化物、ヨウ化物、チオシアン酸塩、ヘキサフルオロリン酸塩、トリフルオロメタンスルホン酸塩、メタンスルホン酸塩、ギ酸塩、酢酸塩、グリコール酸塩、乳酸塩、マンデル酸塩、硝酸塩、亜硝酸塩、トリフルオロ酢酸塩、硫酸塩、硫酸水素塩、メチル硫酸塩、エチル硫酸塩、１−プロピル硫酸塩、１−ブチル硫酸塩、１−ヘキシル硫酸塩、１−オクチル硫酸塩、リン酸塩、リン酸２水素塩、リン酸水素塩、Ｃ１−Ｃ４−ジアルキルリン酸塩、プロピオン酸塩、テトラクロロアルミン酸塩、Ａｌ２Ｃｌ７−、クロロ亜鉛酸塩、クロロ鉄酸塩、ビス（トリフルオロメチルスルホニル）イミド、ビス（ペンタフルオロエチルスルホニル）イミド、ビス（メチルスルホニル）イミド、ビス（ｐ−トリルスルホニル）イミド、トリス（トリフルオロメチルスルホニル）メチド、ビス（ペンタフルオロエチルスルホニル）メチド、ｐ−トリルスルホン酸塩、テトラカルボニルコバルト酸塩、ジメチレングリコールモノメチルエーテル硫酸塩、オレイン酸塩、ステアリン酸塩、アクリレート、メタクリレート、マレイン酸塩、クエン酸水素塩、ビニルホスホン酸塩、ビス（ペンタフルオロエチル）ホスフィン酸塩、ビス［サリチラート（２−）］ホウ酸、ビス［オキシラート（２−）］ホウ酸、ビス［１，２−ベンゾルジオラート（２−）−Ｏ，Ｏ’］ホウ酸塩、テトラシアノホウ酸塩、テトラフルオロホウ酸などのホウ酸塩、ジシアンアミド、トリス（ペンタフルオロエチル）トリフルオロリン酸塩、トリス（ヘプタフルオロプロピル）トリフルオロリン酸塩、ブレンズカテコールリン酸塩（Ｃ６Ｈ４Ｏ２）Ｐ（Ｏ）Ｏ−などの環状アリールリン酸塩、およびクロロコバルト酸塩である。
【００６６】
好ましい陰イオンは―完全性の要求なしに―ハロゲン化物、ビス（ペルフルオロアルキルスルホニル）アミドもしくはイミド、例えば、ビス（トリフルオロメチルイルスルホニル）イミド、アルキルトシル酸塩およびアリールトシル酸塩、ペルフルオロアルキルトシル酸塩、硝酸塩、硫酸塩、硫酸水素塩、アルキル硫酸塩およびアリール硫酸塩、ポリエーテル硫酸塩およびポリエーテルスルホン酸塩、ペルフルオロアルキル硫酸塩、スルホン酸塩、アルキルスルホン酸塩およびアリールスルホン酸塩、ペルフルオロ化アルキルスルホン酸塩およびアリールスルホン酸塩、アルキルカルボン酸塩およびアリールカルボン酸塩、ペルフルオロアルキルカルボン酸塩、過塩素酸塩、テトラクロロアルミン酸塩、サッカリン酸塩からなる群から選択される。さらに、ジシアンアミド、チオシアン酸塩、イソチオシアン酸塩、テトラフェニルホウ酸塩、テトラキス（ペンタフルオロフェニル）ホウ酸塩、テトラフルオロホウ酸塩、ヘキサフルオロリン酸塩、ポリエーテルリン酸塩およびリン酸塩が好ましい陰イオンである。
【００６７】
非常に特に好ましい陰イオンは、塩化物、臭化物、硫酸水素塩、テトラクロロアルミン酸塩、チオシアン酸塩、メチル硫酸塩、エチル硫酸塩、メタンスルホン酸、ギ酸塩、酢酸塩、グリコール酸塩、乳酸塩、リン酸ジメチル、リン酸ジエチル、ｐ−スルホン酸トリル、テトラフルオロホウ酸、およびヘキサフルオロリン酸である。
【００６８】
本発明によれば、さらに特に好ましい実施形態において、ハロゲン化物、ビス（トリフルオロメチリルスルホニル）イミド、ペルフルオロアルキルトシル酸、アルキルスルホン酸塩およびスルホン酸塩、ペルフルオロ化アルキルスルホン酸および硫酸塩、ペルフルオロアルキルカルボン酸塩、過塩素酸塩、ジシアンアミド、チオシアン酸塩、イソチオシアン酸塩、テトラフェニルホウ酸、テトラキス（ペンタフルオロフェニル）ホウ酸、テトラフルオロホウ酸、ヘキサフルオロリン酸からなる群から選択される陰イオンを有する１，３−ジアルキルイミダゾリウム−、１，２，３−トリアルキルイミダゾリウム−、１，３−ジアルキルイミダゾリウム−および１，２，３−トリアルキルイミダゾリウムカチオンの組合せを含有するようなイオン液体もしくはその混合物が使用される。
【００６９】
さらに、簡単に商業的に入手可能な環状第四級アンモニウム塩、例えば、TEGO（登録商標）IL T16ES、TEGO（登録商標）、IL K5MS、TEGO（登録商標）IL DS、またはTEGO（登録商標）IL 2MS(Evonik Goldschmidt GmbHの製品）も使用できる。
【００７０】
一部のイオン液体は、その特性プロフィールによって、それらが高温安定性、非燃焼性、腐蝕抑制性、かつ完成部材から容易に洗浄可能であるように選択される事実に基づき、これらのイオン液体は、外部潤滑剤として、および圧力媒体としても、かつ熱媒油として、特に内部高圧成形に際して有利に使用できる。さらに、イオン液体はその分解温度未満の蒸気圧を示さない。
【００７１】
そのほか特に好ましくは、生分解性であると同時に非毒性であるようなイオン液体が選択される。前述の利点のほかに、まさにこれら両方の追加の特性が、工業環境における連続使用のための潤滑剤の選択に際して重要な基準となる。
【００７２】
潤滑塗料、例えば、グラファイト、および水−油エマルジョンとしての水性圧力媒体による内部高圧成形の従来のシステムと比べ、完成部材および治具表面は外部潤滑剤としてのイオン液体の使用によって外部潤滑剤から容易に清掃されるが、これがまさに連続生産のために重要である。さらに、外部潤滑剤として使用されるイオン液体は、エマルジョン圧力媒体との混合可能性が生じないように構成できる。この場合、圧力媒体は水−油エマルジョンの形で有利に再び使用できる。さらに、イオン液体の粘度は要件プロフィールに適合されうる。というのは、一方では、外部潤滑剤の流出が回避されることが望ましく、他方では、潤滑剤は除去が困難であるほどに粘性であってはならないからである。
【００７３】
本発明の有利な発展形態において、外部潤滑剤として非切削成形工程において使用されるイオン液体またはイオン液体の混合物は室温より高い融点を有しうる。この場合、部材は成形前に、例えば、外部潤滑剤の加熱による液状化浴へ浸漬され、外部から潤滑を付与することができる。部材の冷却に際しては、外部潤滑剤は固定され、かつ部材はさらなる汚染なしに治具へ入れられうる。成形後、外部潤滑剤は加熱によって液状化されると同時に除去されうるか、またはそれらは水性洗浄溶液によって部材から洗浄できる。
【００７４】
イオン液体またはイオン液体の混合物の選択は、選択された成形工程の要件プロフィールに適合する。
【００７５】
イオン液体、その製造およびその特性に関する概要は、例えば、"Ionic Liquids in Synthesis" P. Wasserscheid, T. Welton (eds.), Wiley、"Green Industrial Applications of Ionic Liquids", NATO Science Series. Li. Mathematics, Physics and Chemistry, 92、または"Ionic Liquids: Industrial Applications for Green Chemistry", Robin D. Rogers (ed.), Acs. Symposium Series, 818に記載されている。
【００７６】
本発明の好ましい実施形態において、非切削成形工程が内部高圧成形である。まさにこの工程に際しては、イオン液体またはイオン液体の混合物はその前述の特性プロフィールにより大きな簡易化を達成しうる。好ましくは、イオン液体またはイオン液体の混合物は外部潤滑剤として、および／または圧力媒体として、および／または熱媒油として使用できる。特に、外部潤滑剤および圧力媒体としての同時使用はさらなる相乗作用をもたらすが、それは両方の媒体の不一致がここでは排除され、唯一の環境に優しい潤滑剤だけが使用されるためである。さらに、完成部材の容易な清掃可能性と関係したイオン液体の大きな圧力安定性および温度安定性が優れた結果および改善された連続使用を可能にする。
【００７７】
本発明のさらなる発展形態において、イオン液体またはイオン液体の混合物は、１００℃未満、かつ好ましくは５０℃未満の融点を有する。
【００７８】
特に好ましくは、イオン液体またはイオン液体の混合物は、−５０℃〜４００℃、好ましくは、−４０℃〜３８０℃、かつ特に好ましくは、−３０℃〜３５０℃の液体範囲を有しうる。
【００７９】
本発明のさらに好ましい実施形態では、分解温度が３００℃を超えるイオン液体またはイオン液体の混合物の使用が意図されている。
【００８０】
このことは、外部潤滑剤として、圧力媒体として、および／または熱媒油として使用されるイオン液体が十分な熱安定性を示し、そのため連続生産における繰返し使用も可能であることを保証する。
【００８１】
したがって、要約すれば、非切削成形のための少なくとも１つのイオン液体またはイオン液体の混合物の使用が提案され、それに基づき製造工程の大幅な簡易化が達成できる。イオン液体がその適合性の特性プロフィールによって高温安定性、非燃焼性、腐蝕抑制性、かつ完成部材から容易に洗浄可能に選択可能であるという事実についてみれば、これは外部潤滑剤および圧力媒体および熱媒油として、特に内部高圧成形に際して有利に使用できる。さらに、イオン液体は分解温度未満の蒸気圧を示さず、生分解性であるとともに、非毒性である。
【実施例】
【００８２】
以下の実施例において本発明を例示的に述べるが、その使用範囲がすべての明細書および特許請求の範囲から明らかになる本発明を例示として挙げた実施形態に限定されるものとして読むことはできない。
【００８３】
実験の実施：
１５０００ｋＮのプレス力による水圧三柱プレス（Dunkes Maschinenbau HS 3 1500）において、同種類の鋼管（同じ材料、同じ壁厚、同じ長さおよび直径）による成形実験を行った。鋼管に均等に潤滑剤を塗り、次いでプレスへ入れた。治具として簡単なＴ字片を使用した。
【００８４】
第１の一連の実験において、垂直の柱の距離を一定に維持し（距離Ｚ５）、かつ面積を測定したが、これは成形工程に際して生じたＴ字片の頭部において垂直の柱のピストンに対する直接の塗布によって形成されていた。この面積は大きくなるほど、潤滑は良好に機能し、したがって、潤滑剤の品質の尺度となる。
【００８５】
【表１】
2009030056.tif 000026
【００８６】
第２の一連の実験において、垂直の柱の距離は、管が成形工程に際して割れるまでの間、０．５ｍｍごとに段階的に拡大された。成形Ｔ字片のより大きな最大高さ（より大きなΔ距離Ｚ５）が、成形工程中のより優れた潤滑を意味し、したがって、より高い潤滑剤品質に合致する。
【００８７】
【表２】
2009030056.tif 000027
【００８８】
結果は、本発明によるイオン液体が、従来使用されている技術的溶液よりもハイドロフォーミング工程において非常に優れた潤滑剤であることを明らかに示している。さらに、これらの実験は、さまざまなイオン液体の混合によって、調整可能な粘度値を有する潤滑剤（Tego IL IM55およびIL4により、その粘度がTego IL IM55の低い粘度とIL4の高い粘度との間にある潤滑剤が得られる）が製造され、これらがハイドロフォーミング工程において有利に使用できることを示している。